【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
移動動作の運動中の利用者の動作状態に関連する動作データを検出するセンサ部と、
前記動作データに基づいて、前記利用者の動作情報を検出する動作情報検出部と、
動作状態の仮想走行者の動画像を生成し、前記仮想走行者の足の動き方を、前記取得した前記利用者の動作情報に対応させた動き方に設定する画像生成部と、
前記利用者の視界に配置される表示面の一部に、前記動画像を表示する表示部と、
を備えることを特徴とする運動支援装置。
【請求項２】
前記表示部の前記表示面はシースルー型であることを特徴とする請求項１に記載の運動支援装置。
【請求項３】
前記動作情報検出部は、前記動作情報として、前記利用者の足の着地及び離地のタイミングを第１のタイミングとして検出し、
前記画像生成部は、前記仮想走行者の足の動き方を前記第１のタイミングに同期させることを特徴とする請求項１又は２に記載の運動支援装置。
【請求項４】
前記動作情報検出部は、前記動作情報として、前記利用者の単位時間当たりの歩数を第１の歩数として検出し、
前記画像生成部は、前記仮想走行者の足の着地及び離地のタイミングが前記第１のタイミングに対して先行する第２のタイミングに設定され、前記仮想走行者の単位時間当たりの歩数が前記第１の歩数より多い第２の歩数に設定される期間を有することを特徴とする請求項３に記載の運動支援装置。
【請求項５】
前記センサ部は、少なくとも前記利用者の移動速度の変化の割合を検出し、該加速度に対応する加速度データを、前記動作データとして出力する加速度センサを有し、
前記動作情報検出部は、前記加速度データに基づいて、前記第１のタイミングを検出することを特徴とする請求項３又は４に記載の運動支援装置。
【請求項６】
前記動作情報検出部は、前記加速度センサから出力される加速度データに基づいて、前記利用者の足の着地及び離地の複数のタイミングを取得し、前記複数のタイミングの平均値を前記第１のタイミングとして検出することを特徴とする請求項５に記載の運動支援装置。
【請求項７】
前記センサ部は、前記利用者の移動速度の変化の割合に対応する加速度データを検出する加速度センサと、前記利用者の移動方向の変化に対応する角速度データを検出する角速度センサを有し、
前記動作情報検出部は、前記動作情報として、前記利用者の移動速度を検出し、
前記画像生成部は、前記仮想走行者の表示サイズを前記移動速度に応じた大きさにすることを特徴とする請求項１乃至４のいずれかに記載の運動支援装置。
【請求項８】
前記動作情報検出部は、前記動作情報として、前記利用者の前記移動速度の変化量を検出し、
前記画像生成部は、前記動作情報検出部が検出した前記移動速度の前記変化量に応じて、前記仮想走行者の前記表示サイズを、拡大又は縮小するように設定することを特徴とする請求項７に記載の運動支援装置。
【請求項９】
予め前記利用者の走行速度の目標値が設定されていて、
前記画像生成部は、前記移動速度と前記目標値との差分に応じて、前記仮想走行者の前記表示サイズを、拡大又は縮小するように設定することを特徴とする請求項７に記載の運動支援装置。
【請求項１０】
予め前記利用者の移動距離ごとに走行速度の目標値が設定されていて、
前記画像生成部は、前記移動速度と前記利用者の移動距離ごとの前記目標値との差分に応じて、前記仮想走行者の前記表示サイズを、拡大又は縮小するように設定することを特徴とする請求項７に記載の運動支援装置。
【請求項１１】
前記表示部は、前記利用者の頭部に装着される眼鏡型又はゴーグル型の機器においてレンズが位置する箇所に設けられていることを特徴とする請求項１乃至１０のいずれかに記載の運動支援装置。
【請求項１２】
前記センサ部、前記動作情報検出部、前記画像生成部及び前記表示部は、単一の機器に設けられていることを特徴とする請求項１乃至１１のいずれかに記載の運動支援装置。
【請求項１３】
前記センサ部と前記表示部は、別体の機器に個別に設けられていることを特徴とする請求項１乃至１１のいずれかに記載の運動支援装置。
【請求項１４】
移動動作の運動中の利用者の動作状態に関連する動作データを検出し、
前記動作データに基づいて、前記利用者の動作情報を検出し、
走行状態の仮想走行者の動画像を生成し、
前記仮想走行者の足の動き方を、前記取得した前記利用者の動作情報に対応させた動き方に設定し、
前記利用者の視界に配置される表示面の一部に、前記動画像を表示する、
ことを特徴とする運動支援方法。
【請求項１５】
前記動作情報として前記利用者の足の着地及び離地のタイミングを検出し、
前記仮想走行者の足の着地及び離地における動作タイミングを前記タイミングに同期させる、
ことを特徴とする請求項１４に記載の運動支援方法。
【請求項１６】
コンピュータに、
移動動作の運動中の利用者の動作状態に関連する動作データを検出させ、
前記動作データに基づいて、前記利用者の動作情報を検出させ、
走行状態の仮想走行者の動画像を生成させ、
前記仮想走行者の足の動き方を、前記取得した前記利用者の動作情報に対応させた動き方に設定させ、
前記利用者の視界に配置される表示面の一部に、前記動画像を表示させる、
ことを特徴とする運動支援プログラム。
【請求項１７】
前記動作情報として前記利用者の足の着地及び離地のタイミングを検出させ、
前記仮想走行者の足の着地及び離地における動作タイミングを前記タイミングに同期させる、
ことを特徴とする請求項１６に記載の運動支援プログラム。
【手続補正２】
【補正対象書類名】明細書
【補正対象項目名】０００８
【補正方法】変更
【補正の内容】
【０００８】
本発明に係る運動支援装置は、
移動動作の運動中の利用者の動作状態に関連する動作データを検出するセンサ部と、
前記動作データに基づいて、前記利用者の動作情報を検出する動作情報検出部と、
動作状態の仮想走行者の動画像を生成し、前記仮想走行者の足の動き方を、前記取得した前記利用者の動作情報に対応させた動き方に設定する画像生成部と、
前記利用者の視界に配置される表示面の一部に、前記動画像を表示する表示部と、
を備えることを特徴とする。
【手続補正３】
【補正対象書類名】明細書
【補正対象項目名】０００９
【補正方法】変更
【補正の内容】
【０００９】
本発明に係る運動支援方法は、
移動動作の運動中の利用者の動作状態に関連する動作データを検出し、
前記動作データに基づいて、前記利用者の動作情報を検出し、
走行状態の仮想走行者の動画像を生成し、
前記仮想走行者の足の動き方を、前記取得した前記利用者の動作情報に対応させた動き方に設定し、
前記利用者の視界に配置される表示面の一部に、前記動画像を表示する、
ことを特徴とする。
【手続補正４】
【補正対象書類名】明細書
【補正対象項目名】００１０
【補正方法】変更
【補正の内容】
【００１０】
本発明に係る運動支援プログラムは、
コンピュータに、
移動動作の運動中の利用者の動作状態に関連する動作データを検出させ、
前記動作データに基づいて、前記利用者の動作情報を検出させ、
走行状態の仮想走行者の動画像を生成させ、
前記仮想走行者の足の動き方を、前記取得した前記利用者の動作情報に対応させた動き方に設定させ、
前記利用者の視界に配置される表示面の一部に、前記動画像を表示させる、
ことを特徴とする。
【手続補正５】
【補正対象書類名】明細書
【補正対象項目名】００１５
【補正方法】変更
【補正の内容】
【００１５】
本実施形態に係る運動支援装置は、例えば図１（ａ）に示すように、概略、ランナーであるユーザＵＳが頭部に装着するディスプレイグラス（又は、ヘッドマウントディスプレイ）１００を有している。ディスプレイグラス１００は、例えば図１（ｂ）、（ｃ）に示すように、眼鏡型又はゴーグル型の外観を有し、大別して、ユーザＵＳの視界前方に透過型（シースルー型）の表示部１１０を有するとともに、頭部に装着するためのテンプル（つる）を備えた本体１０１と、本体１０１の表示部１１０に所望の画像や各種の運動情報を透過表示または投影表示させて、視覚を通してユーザＵＳに提供するための表示制御部１０２と、を備えている。ここで、ディスプレイグラス１００は、例えば図１（ｂ）に示すように、本体１０１に表示制御部１０２が一体的に組み込まれた構成を有するものであってもよいし、例えば図１（ｃ）に示すように、市販のスポーツグラスやサングラス、眼鏡に、画像投影装置１０３を有する表示制御部１０２を付加的に組み付けた構成を有するものであってもよい。